【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
スケーラブルなコンテンツの複数のスケールでプレゼンテーションを提示するためのサンプルを含むデータの第１のセット内に記憶された読取り可能コンテンツを処理する方法であって、
前記第１のセットを記憶する段階と、
前記第１のセットからデータの第２のセットを導出する段階と、
を含み、
前記第２のセットが、前記スケーラブルなコンテンツ内の第１の動作点に対して、前記第１のセットからデータを選択する際に使用するための前記第１のセットへの参照を含む、
ことを特徴とする方法。
【請求項２】
スケーラブルなコンテンツの複数のスケールでプレゼンテーションを提示するためのサンプルを含むデータの第１のセット内に記憶されたスケーラブルなコンテンツを処理する方法であって、
前記スケーラブルなコンテンツ内の第１の動作点に対して、前記第１のセットからデータを選択する際に使用するための前記第１のセットへの参照を含み且つ前記第１のセットから導出された第２のセットを受信する段階と、
前記参照にアクセスして、前記第２のセットによって参照されたデータを前記第１のセットから送信、記憶、又は提示する段階と、
を含む方法。
【請求項３】
スケーラブルなコンテンツの複数のスケールでプレゼンテーションを提示するためのサンプルを含むデータの第１のセット内に記憶された読取り可能コンテンツを処理する方法をプロセッサに実行させる実行可能命令を有する機械可読媒体であって、
前記方法が、
前記第１のセットを記憶する段階と、
前記第１のセットからデータの第２のセットを導出する段階と、
を含み、
前記第２のセットが、前記スケーラブルなコンテンツ内の第１の動作点に対して、前記第１のセットからデータを選択する際に使用するための前記第１のセットへの参照を含むことを特徴とする機械可読媒体。
【請求項４】
スケーラブルなコンテンツの複数のスケールでプレゼンテーションを提示するためのサンプルを含むデータの第１のセット内に記憶された読取り可能コンテンツを処理する方法をプロセッサに実行させる実行可能命令を有する機械可読媒体であって、
前記方法が、
前記スケーラブルなコンテンツ内の第１の動作点に対して、前記第１のセットからデータを選択する際に使用するための前記第１のセットへの参照を含み且つ前記第１のセットから導出された第２のセットを受信する段階と、
前記参照にアクセスして、前記第２のセットによって参照されたデータを前記第１のセットから送信、記憶、又は提示する段階と、
を含む、
ことを特徴とする機械可読媒体。
【請求項５】
スケーラブルなコンテンツの複数のスケールでプレゼンテーションを提示するためのサンプルを含むデータの第１のセット内に記憶された読取り可能コンテンツを処理するための装置であって、
前記第１のセットを記憶する手段と、
前記第１のセットからデータの第２のセットを導出する手段と
を含み、
前記第２のセットが、前記スケーラブルなコンテンツ内の第１の動作点に対して、前記第１のセットからデータを選択する際に使用するための前記第１のセットへの参照を含む、
ことを特徴とする装置。
【請求項６】
複数のスケールでプレゼンテーションを提示するためのサンプルを含むデータの第１のセット内に記憶されたスケーラブルなコンテンツを処理する装置であって、
前記スケーラブルなコンテンツ内の第１の動作点に対して、前記第１のセットからデータを選択する際に使用するための前記第１のセットへの参照を含み且つ前記第１のセットから導出された第２のセットを受信する手段と、
前記参照にアクセスして、前記第２のセットによって参照されたデータを前記第１のセットから送信、記憶、又は提示する手段と
を含む装置。
【請求項７】
スケーラブルなコンテンツの複数のスケールでプレゼンテーションを提示するためのサンプルを含むデータの第１のセット内に記憶されたスケーラブルなコンテンツを処理するシステムであって、
プロセッサと、
バスを介して前記プロセッサに結合されたメモリと、
を含み、
前記プロセッサが、前記プロセッサに前記第１のセットを記憶させ且つ前記第１のセットからデータの第２のセットを導出させるようにプログラムされており、前記第２のセットが、前記スケーラブルなコンテンツ内の第１の動作点に対して、前記第１のセットからデータを選択する際に使用するための前記第１のセットへの参照を含む、
ことを特徴とするシステム。
【請求項８】
スケーラブルなコンテンツの複数のスケールでプレゼンテーションを提示するためのサンプルを含むデータの第１のセット内に記憶されたスケーラブルなコンテンツを処理するシステムであって、
プロセッサと、
バスを介して前記プロセッサに結合されたメモリと、
を含み、
前記プロセッサが、前記スケーラブルなコンテンツ内の第１の動作点に対して前記第１のセットからデータを選択する際に使用するための前記第１のセットへの参照を含み且つ前記第１のセットから導出された第２のセットを記憶し、前記参照にアクセスして、前記第２のセットによって参照されたデータを前記第１のセットから送信、記憶、又は提示するようプログラムされている、
ことを特徴とするシステム。
【請求項９】
スケーラブルなコンテンツの複数のスケールでプレゼンテーションを提示するためのサンプルを含むデータの第１のセット内に記憶されたスケーラブルなコンテンツを処理する方法であって、
前記スケーラブルなコンテンツ内の第１の動作点に対して、前記第１のセットからデータを選択する際に使用するための前記第１のセットへの参照を含み且つ前記第１のセットから導出された第２のセットを受信する段階と、
定義されたパケット化特性に従って送信用メディアデータの時間関連シーケンスをパケット化する方法をデータの第３のセットから取り出す段階と、
前記参照にアクセスして、前記第２のセットによって参照されたデータを前記第１のセットから送信する段階と、
を含み、
前記データの第３のセットが前記送信データに関連付けられたデータの時間関連シーケンスである、
ことを特徴とする方法。
【請求項１０】
デジタル処理システムによって読取り可能コンテンツを処理する方法であって、
該方法が、
データの第１及び第２のセットに基づいて前記デジタル処理システムによって受信されるデータの第３のセットを取り出す段階を含み、
前記第１のセットが、スケーラブルなコンテンツの複数のスケールでプレゼンテーションを提示するためのサンプルを含み、前記第２のセットが、前記スケーラブルなコンテンツ内の第１の動作点に対して、前記第１のセットからデータを選択する際に使用するための前記第１のセットへの参照を含み、前記データの第３のセットが、前記第１の動作点と関連付けられている、
ことを特徴とする方法。
【請求項１１】
デジタル処理システムによって読取り可能コンテンツを処理する方法であって、
スケーラブルなコンテンツの複数のスケールでプレゼンテーションを提示するためのサンプルを含むデータの第１のセットと、前記スケーラブルなコンテンツ内の第１の動作点に対して、前記第１のセットからデータを選択する際に使用するための前記第１のセットへの参照を含むデータの第２のセットとを前記デジタル処理システムにて受信する段階と、
前記第１の動作点と関連付けられるデータの第３のセットを前記第１及び第２のセットから生成する段階と、
を含む方法。
【請求項１２】
読取り可能コンテンツを処理する方法であって、
動作点の第１のセットと関連付けられたデータの第１のセットを受信する段階と、
動作点の第２のセットと関連付けられたデータの第２のセットを受信する段階と、
前記データの第１及び第２のセットからデータの第３及び第４のセットを作成する段階と、
を含み、
前記データの第３のセットが、スケーラブルなコンテンツの複数のスケールでプレゼンテーションを提示するためのサンプルを含み、前記データの第４のセットが、前記スケーラブルなコンテンツ内の前記第１及び第２の動作点のうちの１つを前記第３のセットから選択する際に使用するための前記データの第３のセットに対する参照を含む、
ことを特徴とする方法。
【請求項１３】
データの第１及び第２のセットを処理することによって取得されるデータの第３のセットを表す信号を有する通信媒体であって、
前記第１のセットが、スケーラブルなコンテンツの複数のスケールでプレゼンテーションを提示するためのサンプルを含み、前記第２のセットが、前記スケーラブルなコンテンツ内の第１の動作点に対して、前記第１のセットからデータを選択する際に使用するための前記第１のセットへの参照を含み、前記データの第３のセットが、前記第１の動作点と関連付けられている、
ことを特徴とする通信媒体。